(57)【特許請求の範囲】
【請求項１】
２ｎ（ここで、ｎは３又は４）個の、最上段の電極と最下段の電極の極性が同一である構造となるように構成されたバイセルが積層されており、
前記バイセルは、
（ｉ）一つの正極、一つの負極及び第１分離膜からなり、正極と負極との間に第１分離膜が分離可能に介在している積層構造を含む第１電極素子；又は
（ｉｉ）一つの正極、一つの負極及び第１分離膜からなり、正極と負極との間に第１分離膜が介在している積層構造を含み、正極、負極、第１分離膜が互いに付着している第２電極素子；
を備え、
前記バイセルは、前記第１電極素子又は前記第２電極素子と、正極、負極、及び第３電極素子の中から選択された一つと、が積層された構造を有するように構成されており、
前記第３電極素子は、一つの正極又は一つの負極のいずれか一方と第１分離膜からなり、正極又は負極のいずれか一つと第１分離膜が互いに付着していることを特徴とする、スタックアンドフォールディング型の電極積層体。
【請求項２】
前記第１電極素子は、最外側の電極の極性が互いに異なることを特徴とする、請求項１に記載の電極積層体。
【請求項３】
前記第２電極素子は、最外側の電極の極性が互いに異なることを特徴とする、請求項１に記載の電極積層体。
【請求項４】
前記第２電極素子は、最外側の電極のうち少なくとも一つが第１分離膜間に介在していることを特徴とする、請求項３に記載の電極積層体。
【請求項５】
前記第３電極素子は、正極又は負極のいずれか一つが第１分離膜間に介在していることを特徴とする、請求項１に記載の電極積層体。
【請求項６】
前記バイセル同士間には第２分離膜が介在していることを特徴とする、請求項１に記載の電極積層体。
【請求項７】
前記第２分離膜は、バイセル間に介在し、バイセルの電極端子非形成部位である側面を覆っている分離シートを含むことを特徴とする、請求項６に記載の電極積層体。
【請求項８】
最外側の電極のうち少なくとも一つは、第１分離膜を挟んで互いに反対の極性の電極と対面する一面にのみ電極合剤層が形成されている片面コーティング電極であることを特徴とする、請求項１に記載の電極積層体。
【請求項９】
請求項１乃至８のいずれかに記載の電極積層体が電解質と共に電池ケースに内蔵されていることを特徴とする、リチウム二次電池。
【請求項１０】
前記電池ケースは、金属缶、または金属層と樹脂層を含むラミネートシートのパウチ型電池ケースであることを特徴とする、請求項９に記載のリチウム二次電池。
【請求項１１】
前記リチウム二次電池は、リチウムイオンポリマー電池、リチウムイオン電池またはリチウムポリマー電池であることを特徴とする、請求項９に記載のリチウム二次電池。
【請求項１２】
請求項９に記載のリチウム二次電池を単位電池として含むことを特徴とする、電池モジュール。
【請求項１３】
請求項１２に記載の電池モジュールをデバイスの電源として含むことを特徴とする、電池パック。
【請求項１４】
前記デバイスは、電気自動車、ハイブリッド電気自動車、プラグインハイブリッド電気自動車または電力貯蔵装置であることを特徴とする、請求項１３に記載の電池パック。
【発明の詳細な説明】
【技術分野】
【０００１】
本発明は、反復的な充放電が可能なリチウム二次電池及びそれを構成する電極積層体に関する。
【背景技術】
【０００２】
化石燃料の枯渇によってエネルギー源の価格が上昇し、環境汚染への関心が急増するにつれ、環境に優しい代替エネルギー源に対する要求が未来生活のための必須不可欠の要因となっており、特に、モバイルデバイスの多機能化、高性能化、小型化などの趨勢により、小型でありながらも高容量を有する二次電池の需要が増加している。
【０００３】
代表的に、電池の形状の面では、薄い厚さで携帯電話などのような製品に適用することができる角形二次電池及びパウチ型二次電池に対する需要が高く、材料の面では、高いエネルギー密度、放電電圧、出力安定性のリチウムイオン電池、リチウムイオンポリマー電池などのようなリチウム二次電池に対する需要が高い。
【発明の概要】
【発明が解決しようとする課題】
【０００４】
本発明は、厚さに比べて容量効率に優れた電極積層体及びそれを含むリチウム二次電池を提供しようとする。
【課題を解決するための手段】
【０００５】
本発明は、２ｎ（ここで、ｎは、１以上の自然数）個の極性体が積層されていることを特徴とする電極積層体を提供することができる。
【０００６】
前記極性体は、（ｉ）正極、（ｉｉ）負極、（ｉｉｉ）正極、負極及び第１分離膜を含み、正極と負極との間に第１分離膜が分離可能に介在している積層構造を含む第１電極素子、（ｉｖ）正極、負極及び第１分離膜を含み、正極と負極との間に第１分離膜が介在している積層構造を含み、正極、負極、第１分離膜が互いに付着している第２電極素子、及び（ｖ）正極又は負極のいずれか一つと第１分離膜を含み、正極又は負極のいずれか一つと第１分離膜が互いに付着している第３電極素子からなる群から選択された一つまたは２つ以上であってもよい。
【０００７】
具体的に、前記第１電極素子は、最外側の電極の極性が互いに異なっていてもよく、同一であってもよい。同様に、前記第２電極素子は、最外側の電極の極性が互いに異なっていてもよく、同一であってもよい。
【０００８】
前記第２電極素子は、最外側の電極のうち少なくとも一つ、すなわち、最外側の電極のうち一つまたは最外側の電極の全てが第１分離膜間に介在していてもよい。
【０００９】
また、前記第３電極素子は、正極又は負極のいずれか一つが第１分離膜間に介在していてもよい。
【００１０】
一方、前記極性体同士間には第２分離膜が介在していてもよく、前記第２分離膜は、極性体同士間に介在し、極性体の電極端子非形成部位である側面を覆っている分離シートを含むことができる。
【００１１】
一方、最外側の電極のうち少なくとも一つは、第１分離膜を挟んで反対の極性の電極と対面する一面にのみ電極合剤層が形成されている片面コーティング電極であってもよい。
【００１２】
本発明に係る電極積層体は、前記の（ｉ）〜（ｖ）の極性体から選択されたいずれか一つの積層構造であってもよく、これらから選択された２つ以上の極性体の積層構造であってもよい。
【００１３】
例えば、第１電極素子２ｎ−１個と、正極、負極、または第３電極素子のいずれか一つが積層されている構造であってもよい。
【００１４】
また、第２電極素子２ｎ−１個と、正極、負極、または第３電極素子のいずれか一つが積層されている構造であってもよい。
【００１５】
本発明はまた、前記の電極積層体が電解質と共に電池ケースに内蔵されているリチウム二次電池及びそれを単位電池として含む電池モジュール、電池パックを提供することができる。
【００１６】
前記電池ケースは、金属缶、または金属層と樹脂層を含むラミネートシートからなり、電極積層体を収納する収納部を含むパウチ型電池ケースであってもよい。
【００１７】
前記リチウム二次電池は、リチウムイオンポリマー電池、リチウムイオン電池またはリチウムポリマー電池であってもよい。
【００１８】
前記電池モジュールは、多数の単位電池を直列方式または直列／並列方式で接続して構成され、それについては当業界において公知であるので、本明細書では関連説明を省略する。
【００１９】
また、前記電池モジュールを含む電池パックは、電気自動車、ハイブリッド電気自動車、プラグインハイブリッド電気自動車及び電力貯蔵装置などの電源として好ましく使用することができる。
【００２０】
このようなリチウム二次電池、それを単位電池として含む中大型電池モジュール及び電池パックの構造及び製造方法は当業界において公知であるので、それについての詳細な説明を本明細書では省略する。
【図面の簡単な説明】
【００２１】
【図１】従来のスタックアンドフォールディング型電極積層体の例示的な構造に対する模式図である。
【図２】図１のスタックアンドフォールディング型電極積層体の製造工程において極性体の配列の組み合わせを例示的に示した模式図である。
【図３】本発明の一実施例に係る電極積層体の模式図である。
【図４】図３の電極積層体の製造工程において極性体の配列の組み合わせを例示的に示した模式図である。
【図５】従来のスタックアンドフォールディング型電極積層体と本発明の一実施例に係る電極積層体の厚さ対比容量を比較したグラフである。
【図６】本発明の他の一実施例に係る電極積層体の模式図である。
【図７】本発明の一実施例に係る第２電極素子の模式図である。
【図８】本発明の一実施例に係る第３電極素子の模式図である。
【図９】図７及び図８の電極素子の積層構造を模式的に示した図である。
【発明を実施するための形態】
【００２２】
以下、本発明に係る非制限的な実施例を参照して本発明をさらに詳述するが、下記の実施例は本発明を例示するためのものであり、本発明の範疇がこれらに限定されるものではない。
【００２３】
従来のスタックアンドフォールディング型電極積層体は、奇数個のバイセルで構成されるのが一般的である。このとき、バイセルは、最上段と最下段の電極の極性が同じ極性体であって、第１電極素子または第２電極素子であってもよい。
【００２４】
図１及び図２には、従来のスタックアンドフォールディング型電極積層体の例示的な構造及び製造過程が模式的に示されている。
【００２５】
これらの図面を参照すると、電流集電体の両面に電極合剤をコーティングした電極同士間に分離膜が介在した状態で電極と分離膜が交差積層され、最上段の電極と最下段の電極の極性が互いに同一である５個のバイセル１０，１１，１２，１３，１４が、分離シート２０を挟んで正極と負極が対面するように積層されており、バイセル同士間には分離シート２０が介在している。分離シート２０は、バイセル同士間に介在した状態でバイセルの側面を連続的に覆っている。
【００２６】
分離シート２０の末端部は接着テープ２５で仕上げされている。
【００２７】
このようなスタックアンドフォールディング型電極積層体は、例えば、所定の長さの分離シート２０上にバイセル１０，１１，１２，１３，１４を所定の間隔で配列し、分離シート２０の一端部２１から始めて順次巻き取ることによって製造することができる。
【００２８】
このとき、バイセル１０，１１，１２，１３，１４の配列の組み合わせを説明すると、第１バイセル１０と第２バイセル１１は、巻き取り時に第１バイセル１０と第２バイセル１１が積層されるように、少なくとも一つのバイセルに対応する幅間隔で離隔した距離に位置しているので、巻き取り過程において、第１バイセル１０の外面が分離シート２０で完全に塗布された後、第１バイセル１０の下端面電極（負極）が分離シート２０を挟んで第２バイセル１１の上端面電極（正極）と対面することになる。
【００２９】
第２バイセル１１以降のバイセル１２，１３，１４は、巻き取りによる順次積層過程で分離シート２０の塗布長さが増加するので、巻き取り方向にこれらの間の間隔が順次増加するように配置されている。
【００３０】
また、このようなバイセル１０，１１，１２，１３，１４は、巻き取り時に、バイセルの積層面において正極と負極とが対面するように構成しなければならないので、第１バイセル１０は、負極、分離膜、正極、分離膜、負極構造のＡ型バイセルであり、第２バイセル１１及び第３バイセル１２は、正極、分離膜、負極、分離膜、正極構造のＣ型バイセルであり、第４バイセル１３及び第５バイセル１４は、負極、分離膜、正極、分離膜、負極構造のＡ型バイセルからなっている。
【００３１】
電池の容量は、ローディング量（ｌｏａｄｉｎｇ  ｌｅｖｅｌ）と正比例する。したがって、ローディング量の増加は電池の容量の増加を伴う。しかし、ローディング量が増加するほど、電池のレート特性が低下するという問題がある。
【００３２】
したがって、ローディング量の設計は、レート特性を考慮しなければならないという制限がある。
【００３３】
前記のローディング量の制限のため、前記の従来のスタックアンドフォールディング型電極積層体の場合には、ローディング量を減らしたバイセルの個数を増加させる方式で、容量を増加させることができた。すなわち、前記のローディング量の制限のため、２ｎ−１個のバイセルＡからなるスタックアンドフォールディング型電極積層体は、前記バイセルＡに比べてローディング量を減らしたバイセルＢの個数を増加させることによって、容量を増加させることができた。
【００３４】
その結果、２ｎ＋１個のバイセルＢからなるスタックアンドフォールディング型電極積層体が作られる。しかし、この場合、バイセルの個数が２ｎ−１個から２ｎ＋１個に増加する区間で容量に比べて厚さの効率が減少するという問題があった。
【００３５】
本発明の非制限的な一実施例によって２ｎ個のバイセルからなるスタックアンドフォールディング型電極積層体は、従来の２ｎ＋１個のバイセルからなるスタックアンドフォールディング型電極積層体に比べて、同一の厚さにおいて容量が増加するという効果がある。
【００３６】
本発明の非制限的な実施例に係る電極積層体は、
電流集電体に電極合剤をコーティングした電極同士間に分離膜が介在した状態で積層され、最上段の電極と最下段の電極の極性が互いに同一であるバイセル（ｂｉ−ｃｅｌｌ）が２ｎ個積層されており、バイセル同士間には分離シートが介在しており、前記分離シートは、バイセルの電極端子非形成部位である側面を連続的に覆っており、最上段と最下段のバイセルのいずれか一方は、電流集電体の一面にのみ電極合剤がコーティングされている片面コーティング電極を最外側の電極として含んでいてもよい。
【００３７】
前記電極は、正極または負極であってもよく、正極は、正極集電体の両面に正極物質がコーティングされている構造であるか、または一面にのみ正極物質がコーティングされている構造であってもよく、前記負極は、負極集電体の両面に負極物質がコーティングされた構造であってもよい。したがって、最上段と最下段のバイセルのいずれか一方は、最外側の電極の極性が正極であるＣ型バイセルであり得る。
【００３８】
前記バイセルは、正極、負極、分離膜を単純積層した構造の第１電極素子であってもよく、正極、負極、分離膜を単純積層した後に接合（ｌａｍｉｎａｔｅ）した構造の第２電極素子であってもよく、正極、負極、分離膜を単純積層した後に接合した第２電極素子を積層した構造であってもよく、正極、負極、分離膜を単純積層した後に接合した構造の第２電極素子と正極又は負極を単純積層した構造であってもよく、正極、負極、分離膜を単純積層した後に接合した構造の第２電極素子と正極又は負極を単純積層した後、再び接合した構造であってもよい。
【００３９】
前記の第２電極素子を含む場合、正極、負極、分離膜を単純積層した第１電極素子に比べて量産性ないし良品率を向上させることができる。また、スウェリングによる体積膨張を最小化して、電池の安全性を向上させることができる。
【００４０】
具体的に、前記バイセルは、最外側に負極が位置するように正極、分離膜、負極を積層または積層した後に接合（ｌａｍｉｎａｔｅ）したＡ型バイセルであってもよく、最外側に正極が位置するように正極、分離膜、負極を積層または積層した後に接合したＣ型バイセルであってもよい。
【００４１】
前記バイセルは、正極と負極が最外側を構成し、分離膜が正極と負極との間に介在するように、正極と負極を積層した状態で接合した第２電極素子と、正極と負極のいずれか一方と分離膜を積層した状態で接合した第３電極素子との組み合わせであってもよく、正極と負極のいずれか一方と分離膜が最外側を構成するように正極、負極、分離膜を積層した後に接合した構造の第２電極素子と正極又は負極の組み合わせであってもよく、分離膜が最外側を構成するように正極、分離膜、負極を積層した後に接合した第２電極素子と、分離膜が正極と負極との間に介在するように、正極と負極を積層した状態で接合した第２電極素子及び正極又は負極の組み合わせであってもよい。
【００４２】
分離膜または分離シートを挟んで対面する電極のうち大面積の電極を負極として構成することによって、充放電時にリチウム金属などが負極において樹枝状成長（ｄｅｎｄｒｉｔｅ）する現象を極力抑制することができる。
【００４３】
前記分離シートは、バイセル同士間に介在した状態でバイセルの電極端子非形成部位である側面を覆うことができる長さを有することができる。
【００４４】
充放電を繰り返すことによって、電極と分離膜間または電極と分離シート間の界面接触を維持できなくなる場合、リチウム二次電池の容量及び性能は急激に低下するため、その界面を安定的に圧着させて接触を継続的に維持するための圧力が必要である。
【００４５】
スタックアンドフォールディング型電極積層体は、分離シートによる巻き取りないし折り曲げ時に発生する引張力が電極と分離膜間または電極と分離シート間の界面を圧着させることができるので、電池性能及び容量の面で非常に優れている。
【００４６】
非制限的な例として、前記分離シートは、巻き取り後に電極積層体を一回覆うことができる延びた長さを有することができる。
【００４７】
分離シートの末端は、熱融着されるか、またはテープで固定されてもよい。
【００４８】
例えば、熱溶接機または熱板などを仕上げされる分離シートに接触させて、分離シート自体が熱により溶融されて接着固定されるようにすることができる。これによって、圧力が継続維持されるので、電極と分離シートとの安定した界面接触を可能にする。
【００４９】
スタックアンドフォールディング型電極積層体に使用される分離膜は、バイセルを構成するために熱融着による接着機能を有していることが好ましく、前記分離シートは、必ずそのような機能を有する必要はないが、巻き取りまたは折り曲げ工程を容易に行うためには、接着機能を有するものを使用することが好ましい。一つの好ましい例において、前記分離膜及び／又は分離シートとしては、熱融着による接着機能を有している本出願人の韓国特許出願第１９９９−５７３１２号に記載された微細多孔性の第１高分子層と、ポリビニリデンフルオライド−クロロトリフルオロエチレン共重合体のゲル化第２高分子層とを含む高分子電解質用高分子フィルムを使用することができる。前記出願の内容は参照として本発明の内容に組み込まれる。
【００５０】
リチウム二次電池は、外部から針状体などの物体が電池を押圧または貫通する場合、正極と負極が接触しながら短絡が誘発され、このような短絡時に電極活物質の反応により温度が急激に上昇することになって、電池の発火又は爆発が発生し得るという安全性の問題点を有している。
【００５１】
特に、スタックアンドフォールディング型電極積層体が相対的に機械的剛性の弱いラミネートシート構造の電池ケースに内蔵され、外周辺を熱融着シーリングして、シーリング部が形成されたパウチ型二次電池として製造される場合、外部の衝撃によって変形したり、針状体などの物体が貫通しやすい。
【００５２】
すなわち、外部から針状体などの物体が電池を押圧または貫通する場合、正極と負極が接触しながら短絡が誘発され、このような短絡は電極活物質を反応させることで温度が急激に上昇することになる。また、電気伝導性の低いリチウム遷移金属酸化物などの正極活物質は、短絡時に高い抵抗によって多くの熱を発生させるため、電池の発火ないし爆発をさらに加速化させる。
【００５３】
しかし、本発明の非制限的な実施例に係るスタックアンドフォールディング型電極積層体は、最外側のバイセルが針状体の貫通に対する安全部材として作用して、一次的に微細短絡を誘発するので、電池の発火及び爆発を防止することができる。
【００５４】
最外側のバイセルの安全部材としての機能は、一つのリチウム二次電池の発火及び爆発が中大型電池モジュール及び電池パック全体の発火及び爆発に繋がることがある中大型電池モジュール及び電池パックにおいて特に重要である。
【００５５】
より好ましくは、電池が角方向に落下するとき、電池の形状の変化による短絡を防止できるように、バイセルは、端部の角が丸い電極を含んでいてもよい。
【００５６】
図３及び図４には、本発明の非制限的な一実施例に係る電極積層体の模式図及び製造過程が示されている。５個のバイセル２１０，２２０，２３０，２４０，２５０の構造は、図１に示した従来のスタックアンドフォールディング型電極積層体と同一である。
【００５７】
ただし、従来のスタックアンドフォールディング型電極積層体とは異なり、中心部のＡ型バイセル２１０から垂直方向に３番目に位置する最外側のバイセル２６０がさらに含まれて、２ｎ個のバイセルを含んでいる。
【００５８】
バイセル２６０は、第１正極、分離膜、負極、分離膜、第２正極の積層構造からなっており、第１正極及び負極は、電流集電体の両面にそれぞれ電極合剤がコーティングされているが、第２正極は、電流集電体の一面にのみ正極合剤がコーティングされており、具体的に、中心部のＡ型バイセル２１０方向の一面にのみ正極合剤がコーティングされており、分離シートと接する一面には正極合剤がコーティングされていない。
【００５９】
したがって、針状体（図示せず）による電極積層体の貫通時に、短絡による発熱量が相対的に少ない最外側のバイセル２６０の金属シートが優先的に接触及び短絡されることで、電池の発火及び爆発を防止する。
【００６０】
本発明の一実施例に係る電極積層体は、従来のスタックアンドフォールディング型電極積層体の製造方法により製造することができる。例えば、長い長さの分離シート１００上にバイセル２１０，２２０，２３０，２４０，２５０，２６０を所定の間隔で配列し、分離シート１００の一端部１０１から始めて順次巻き取ることによって製造され、末端部１０２は接着テープで仕上げることができる。
【００６１】
図６には、本発明の他の一実施例の模式図が示されている。図６を参照すると、分離シート１００が‘Ｚ’字状にフォールディングまたは折り曲げられている点を除いては、図３の電極積層体と同様に、偶数個のバイセル２１０，２２０，２３０，２４０，２５０，２６０を含んでおり、最外側のバイセル２１０，２６０のうちバイセル２１０はＣ型バイセルであり、Ｃ型バイセル２１０は、正極集電体の一面にのみ正極合剤がコーティングされている片面コーティング電極を含んでいる。
【００６２】
図７乃至図９には、本発明の非制限的な実施例に係る第２電極素子、第３電極素子及びこれらの積層構造が模式的に示されている。
【００６３】
図７及び図８を参照すると、第２電極素子３１０は、負極３０４、分離膜３０３、正極３０２、分離膜３０１の順に積層された後、接合されて一体化されている。また、第３電極素子３２０は、負極３１２、分離膜３１１が順次積層された後、接合されて一体化されている。第２電極素子において、分離膜３０１を除去することで更に他の第２電極素子を構成してもよく、第２電極素子において、任意の分離膜を負極３０４の下端に積層した後に接合することで更に他の構造の第２電極素子を構成できることを理解することができる。
【００６４】
図９を参照すると、第２電極素子３１０、第３電極素子３２０が順次積層されており、Ａ型バイセルは、第３電極素子３２０上に、第２電極素子３１０から分離膜３０１を除去した更に他の構造の第２電極素子を積層することによって作製することができる。
【００６５】
＜実験例１＞
本発明の一実施例によって８個のバイセルが重なったスタックアンドフォールディング型電極積層体、及び従来技術によって９個のバイセルが重なった電極積層体のエネルギー密度を測定し、その結果を図５に示した。
【００６６】
図５を参照すると、本発明の非制限的な一実施例に係るスタックアンドフォールディング型電極積層体が、従来のスタックアンドフォールディング型電極積層体に比べて同一の厚さにおいて高容量を有することを確認することができる。
【００６７】
具体的に、同一の厚さ３．９ｍｍにおいて、本発明の非制限的な一実施例に係るスタックアンドフォールディング型電極積層体は１５００ｍＡｈの容量を有する一方、従来のスタックアンドフォールディング型電極積層体は１４５０ｍＡｈの容量を有するので、本発明に係るスタックアンドフォールディング型電極積層体は、従来のスタックアンドフォールディング型電極積層体に比べて同一の厚さにおいて約３％の容量が増加したことを確認することができる。
【００６８】
＜実験例２＞
本発明の非制限的な一実施例によって８個のバイセルが重なったスタックアンドフォールディング型電極積層体の安全性をテストし、その結果を下記の表１に示す。
【００６９】
【表１】
0006027228.tif 000002
【００７０】
＜実験例３＞
本発明の非制限的な一実施例によって８個のバイセルが重なったスタックアンドフォールディング型電極積層体、及び従来技術によって９個のバイセルが重なった電極積層体の針状貫通実験を進行し、その結果を下記の表２に示す。下記の実験結果からわかるように、本願発明は、従来技術と同等水準の安全性を発揮することができる。
【００７１】
【表２】
0006027228.tif 000003
【００７２】
本発明の属する分野における通常の知識を有する者であれば、上記内容に基づいて本発明の範疇内で様々な応用及び変形を行うことが可能であろう。
【産業上の利用可能性】
【００７３】
本発明は、２ｎ（ここで、ｎは、１以上の自然数）個の極性体が積層されているので、従来の２ｎ＋１個の極性体の積層体と比較して、厚さに比べて容量効率に優れるという長所がある。
【００７４】
また、最外層の電極が負極または片面正極である場合には、従来の奇数個の極性体の積層体と同等の水準の安全性を保障することができる。
【符号の説明】
【００７５】
１００  分離シート
２１０，２２０，２３０，２４０，２５０，２６０  バイセル
３０１  分離膜
３０２  正極
３０３  分離膜
３０４  負極
３１０  第２電極素子
３１１  分離膜
３１２  負極
３２０  第３電極素子
【図１】
0006027228.tif 000004
【図２】
0006027228.tif 000005
【図３】
0006027228.tif 000006
【図４】
0006027228.tif 000007
【図５】
0006027228.tif 000008
【図６】
0006027228.tif 000009
【図７】
0006027228.tif 000010
【図８】
0006027228.tif 000011
【図９】
0006027228.tif 000012